(57)【特許請求の範囲】
【請求項１】
同一属性のコンテンツを連続表示可能なコンテンツ表示装置と接続可能なコンテンツ配信装置において、
前記コンテンツ表示装置に送信するためのコンテンツのグループを生成する生成手段と、
前記グループに第１のコンテンツを新規に追加したときに、前記第１のコンテンツの属性を前記グループの属性として決定する属性決定手段と、
前記グループに第２のコンテンツを追加するときに、前記第２のコンテンツの属性が前記グループの属性と一致する場合には、前記グループに前記第２のコンテンツを追加する追加手段と、
前記グループに含まれるコンテンツを、前記コンテンツ表示装置に送信する送信手段と、
を具備し、
前記追加手段は、前記グループに前記第２のコンテンツを追加するときに、前記第２のコンテンツの属性が前記グループの属性と一致しない場合には、前記第２のコンテンツの属性を前記グループの属性に変換し、前記グループに前記第２のコンテンツを追加することを特徴とするコンテンツ配信装置。
【請求項２】
前記追加手段は、前記第２のコンテンツの属性を前記グループの属性に変換するか否かを問い合わせる旨を表すメッセージを表示し、変換する指示に応じて、前記第２のコンテンツの属性を前記グループの属性に変換することを特徴とする請求項１に記載のコンテンツ配信装置。
【請求項３】
同一属性のコンテンツを連続表示可能なコンテンツ表示装置と接続可能なコンテンツ配信装置において、
前記コンテンツ表示装置に送信するためのコンテンツのグループを生成する生成手段と、
前記グループに第１のコンテンツを新規に追加したときに、前記第１のコンテンツの属性を前記グループの属性として決定する属性決定手段と、
前記グループに第２のコンテンツを追加するときに、前記第２のコンテンツの属性が前記グループの属性と一致する場合には、前記グループに前記第２のコンテンツを追加する追加手段と、
前記グループに含まれるコンテンツを、前記コンテンツ表示装置に送信する送信手段と、
を具備し、
前記追加手段は、前記グループに前記第２のコンテンツを追加するときに、前記第２のコンテンツの属性が前記グループの属性と一致しない場合には、前記グループの属性を前記第２のコンテンツの属性に変換し、前記グループに前記第２のコンテンツを追加することを特徴とするコンテンツ配信装置。
【請求項４】
前記追加手段は、前記グループの属性を前記第２のコンテンツの属性に変換するか否かを問い合わせる旨を表すメッセージを表示し、変換する指示に応じて、前記グループの属性を前記第２のコンテンツの属性に変換することを特徴とする請求項３に記載のコンテンツ配信装置。
【請求項５】
同一属性のコンテンツを連続表示可能なコンテンツ表示装置と、
前記コンテンツ表示装置と接続可能なコンテンツ配信装置と、
を具備し、
前記コンテンツ配信装置は、
前記コンテンツ表示装置に送信するためのコンテンツのグループを生成する生成手段と、
前記グループに第１のコンテンツを新規に追加したときに、前記第１のコンテンツの属性を前記グループの属性として決定する属性決定手段と、
前記グループに第２のコンテンツを追加するときに、前記第２のコンテンツの属性が前記グループの属性と一致する場合には、前記グループに前記第２のコンテンツを追加する追加手段と、
前記グループに含まれるコンテンツを、前記コンテンツ表示装置に送信する送信手段と、
を具備し、
前記追加手段は、前記グループに前記第２のコンテンツを追加するときに、前記第２のコンテンツの属性が前記グループの属性と一致しない場合には、前記第２のコンテンツの属性を前記グループの属性に変換し、前記グループに前記第２のコンテンツを追加することを特徴とするコンテンツ配信システム。
【請求項６】
同一属性のコンテンツを連続表示可能なコンテンツ表示装置と、
前記コンテンツ表示装置と接続可能なコンテンツ配信装置と、
を具備し、
前記コンテンツ配信装置は、
前記コンテンツ表示装置に送信するためのコンテンツのグループを生成する生成手段と、
前記グループに第１のコンテンツを新規に追加したときに、前記第１のコンテンツの属性を前記グループの属性として決定する属性決定手段と、
前記グループに第２のコンテンツを追加するときに、前記第２のコンテンツの属性が前記グループの属性と一致する場合には、前記グループに前記第２のコンテンツを追加する追加手段と、
前記グループに含まれるコンテンツを、前記コンテンツ表示装置に送信する送信手段と、
を具備し、
前記追加手段は、前記グループに前記第２のコンテンツを追加するときに、前記第２のコンテンツの属性が前記グループの属性と一致しない場合には、前記グループの属性を前記第２のコンテンツの属性に変換し、前記グループに前記第２のコンテンツを追加することを特徴とするコンテンツ配信システム。
【請求項７】
同一属性のコンテンツを連続表示可能なコンテンツ表示装置と接続可能なコンピュータによって実行されるプログラムであって、
前記コンテンツ表示装置に送信するためのコンテンツのグループを生成するステップと、
前記グループに第１のコンテンツを新規に追加したときに、前記第１のコンテンツの属性を前記グループの属性として決定するステップと、
前記グループに第２のコンテンツを追加するときに、前記第２のコンテンツの属性が前記グループの属性と一致する場合には、前記グループに前記第２のコンテンツを追加するステップと、
前記グループに含まれるコンテンツを、前記コンテンツ表示装置に送信するステップと、
を実行させ、
前記追加するステップは、前記グループに前記第２のコンテンツを追加するときに、前記第２のコンテンツの属性が前記グループの属性と一致しない場合には、前記第２のコンテンツの属性を前記グループの属性に変換し、前記グループに前記第２のコンテンツを追加することを特徴とするプログラム。
【請求項８】
同一属性のコンテンツを連続表示可能なコンテンツ表示装置と接続可能なコンピュータによって実行されるプログラムであって、
前記コンテンツ表示装置に送信するためのコンテンツのグループを生成するステップと、
前記グループに第１のコンテンツを新規に追加したときに、前記第１のコンテンツの属性を前記グループの属性として決定するステップと、
前記グループに第２のコンテンツを追加するときに、前記第２のコンテンツの属性が前記グループの属性と一致する場合には、前記グループに前記第２のコンテンツを追加するステップと、
前記グループに含まれるコンテンツを、前記コンテンツ表示装置に送信するステップと、
を実行させ、
前記追加するステップは、前記グループに前記第２のコンテンツを追加するときに、前記第２のコンテンツの属性が前記グループの属性と一致しない場合には、前記グループの属性を前記第２のコンテンツの属性に変換し、前記グループに前記第２のコンテンツを追加することを特徴とするプログラム。
【請求項９】
コンテンツのグループを生成する生成手段と、
前記グループに第１のコンテンツを新規に追加したときに、前記第１のコンテンツの属性を前記グループの属性として決定する属性決定手段と、
前記グループに第２のコンテンツを追加するときに、前記第２のコンテンツの属性が前記グループの属性と一致する場合には、前記グループに前記第２のコンテンツを追加する追加手段と、
前記グループに含まれるコンテンツを出力装置に送信する送信手段と、
を具備し、
前記追加手段は、前記グループに前記第２のコンテンツを追加するときに、前記第２のコンテンツの属性が前記グループの属性と一致しない場合には、前記第２のコンテンツの属性を前記グループの属性に変換し、前記グループに前記第２のコンテンツを追加することを特徴とする属性制御装置。
【請求項１０】
コンテンツのグループを生成する生成手段と、
前記グループに第１のコンテンツを新規に追加したときに、前記第１のコンテンツの属性を前記グループの属性として決定する属性決定手段と、
前記グループに第２のコンテンツを追加するときに、前記第２のコンテンツの属性が前記グループの属性と一致する場合には、前記グループに前記第２のコンテンツを追加する追加手段と、
前記グループに含まれるコンテンツを出力装置に送信する送信手段と、
を具備し、
前記追加手段は、前記グループに前記第２のコンテンツを追加するときに、前記第２のコンテンツの属性が前記グループの属性と一致しない場合には、前記グループの属性を前記第２のコンテンツの属性に変換し、前記グループに前記第２のコンテンツを追加することを特徴とする属性制御装置。
【発明の詳細な説明】
【技術分野】
【０００１】
本発明は、同一属性のコンテンツを連続表示可能なコンテンツ表示装置と接続可能なコンテンツ配信装置等に関する。
【背景技術】
【０００２】
従来、表示装置を利用して、静止画や動画のコンテンツを表示・再生するデジタルサイネージシステムが知られている。デジタルサイネージシステムでは、コンテンツを表示・再生するためのコンテンツ表示装置として、インフォメーションディスプレイと呼ばれる大型の表示装置が利用される。コンテンツ表示装置は、例えば店舗や、ションピングモール、公共施設、公共機関といった人の集まる場所に多く設置される。
【０００３】
デジタルサイネージシステムでは、コンテンツ配信装置からコンテンツ表示装置から、コンテンツ表示装置に対して、コンテンツが配信される。具体的には、コンテンツ配信装置は、コンテンツファイルのリスト（グループ）を生成し、そのリストに含まれるコンテンツファイルを、コンテンツ表示装置に対して、ネットワークを介して配信する。コンテンツ表示装置は、そのコンテンツファイル（コンテンツ）を連続表示する。
【０００４】
コンテンツ表示装置は、同一属性のコンテンツを表示することができるが、異なる属性のコンテンツの表示には対応していない。例えば、その属性が画像（静止画）であるコンテンツ（画像コンテンツ）と、その属性が動画であるコンテンツ（動画コンテンツ）とがリストに混在する場合、コンテンツ表示装置は、それらのコンテンツの属性を判断する等の対応が困難である。そのため、コンテンツ配信装置は、同一属性のコンテンツファイルのリスト（グループ）を生成し、そのリストに含まれるコンテンツファイルを、コンテンツ表示装置に対して、ネットワークを介して配信することになる。
【０００５】
同一属性のファイルを管理する技術が特許文献１に記載されている。特許文献１に記載された技術では、フォルダに登録予定のファイルの属性がフォルダの属性と一致していない場合は、そのファイルをフォルダに登録できない旨の警告を表示している。
【先行技術文献】
【特許文献】
【０００６】
【特許文献１】特開２００１−１９７２４４号公報
【発明の概要】
【発明が解決しようとする課題】
【０００７】
特許文献１に記載された技術では、フォルダの属性を予め設定しておく必要がある。一方、デジタルサイネージシステムでは、コンテンツ表示装置により表示されるコンテンツが、コンテンツ表示装置の設置場所や時間毎に変更される。そのため、デジタルサイネージシステムでは、リストの属性を予め設定してしまうと、例えば同じ設置場所に、画像コンテンツを表示するためのコンテンツ表示装置を設置と、動画コンテンツを表示するためのコンテンツ表示装置と、を配置しなければならなくなる。
【０００８】
また、デジタルサイネージシステムにおいては、画像コンテンツ用のコンテンツ表示装置と、動画コンテンツ用のコンテンツ表示装置との両方を用意することは、コンテンツ表示装置の台数が多くなり、管理が煩雑になる。
【０００９】
このような課題を解決するために、本発明は、属性を予め設定することなく、コンテンツ表示装置に対して同一属性のコンテンツを配信することができるコンテンツ配信装置等を提供することである。
【課題を解決するための手段】
【００１０】
本発明のコンテンツ配信装置は、同一属性のコンテンツを連続表示可能なコンテンツ表示装置と接続可能なコンテンツ配信装置において、前記コンテンツ表示装置に送信するためのコンテンツのグループを生成する生成手段と、前記グループに第１のコンテンツを新規に追加したときに、前記第１のコンテンツの属性を前記グループの属性として決定する属性決定手段と、前記グループに第２のコンテンツを追加するときに、前記第２のコンテンツの属性が前記グループの属性と一致する場合には、前記グループに前記第２のコンテンツを追加する追加手段と、前記グループに含まれるコンテンツを、前記コンテンツ表示装置に送信する送信手段と、を具備することを特徴とする。
【００１１】
本発明のコンテンツ配信システムは、同一属性のコンテンツを連続表示可能なコンテンツ表示装置と、前記コンテンツ表示装置と接続可能なコンテンツ配信装置と、を具備し、前記コンテンツ配信装置は、前記コンテンツ表示装置に送信するためのコンテンツのグループを生成する生成手段と、前記グループに第１のコンテンツを新規に追加したときに、前記第１のコンテンツの属性を前記グループの属性として決定する属性決定手段と、前記グループに第２のコンテンツを追加するときに、前記第２のコンテンツの属性が前記グループの属性と一致する場合には、前記グループに前記第２のコンテンツを追加する追加手段と、前記グループに含まれるコンテンツを、前記コンテンツ表示装置に送信する送信手段と、を具備することを特徴とする。
【００１２】
本発明のプログラムは、同一属性のコンテンツを連続表示可能なコンテンツ表示装置と接続可能なコンピュータによって実行されるプログラムであって、前記コンテンツ表示装置に送信するためのコンテンツのグループを生成するステップと、前記グループに第１のコンテンツを新規に追加したときに、前記第１のコンテンツの属性を前記グループの属性として決定するステップと、前記グループに第２のコンテンツを追加するときに、前記第２のコンテンツの属性が前記グループの属性と一致する場合には、前記グループに前記第２のコンテンツを追加するステップと、前記グループに含まれるコンテンツを、前記コンテンツ表示装置に送信するステップと、を実行させることを特徴とする。
【発明の効果】
【００１３】
このように、本発明では、新規に追加した第１のコンテンツの属性をグループの属性として決定している。そこで、グループに第２のコンテンツを追加するときに、第２のコンテンツの属性がグループの属性と一致する場合、グループに第２のコンテンツが追加される。したがって、グループの属性を予め設定することなく、コンテンツ表示装置に対して同一属性のコンテンツを配信することができる。
【図面の簡単な説明】
【００１４】
【図１】第１実施形態における全体構成を説明するための図である。
【図２】第１実施形態における全体構成を説明するための図である。
【図３】第１実施形態におけるコンテンツ表示装置の構成を説明するための図である。
【図４】第１実施形態におけるコンテンツ配信装置の構成を説明するための図である。
【図５】第１実施形態におけるコンテンツファイルのリストを説明するための図である。
【図６】第１実施形態におけるコンテンツ表示処理を説明するための動作フローである。
【図７】第１実施形態におけるコンテンツ配信処理を説明するための動作フローである。
【図８】第１実施形態におけるコンテンツファイル追加処理を説明するための動作フローである。
【図９】第１実施形態における動作画面を説明するための図である。
【図１０】第１実施形態における動作画面を説明するための図である。
【図１１】第１実施形態における動作画面を説明するための図である。
【図１２】第１実施形態における動作画面を説明するための図である。
【図１３】第１実施形態における動作画面を説明するための図である。
【図１４】第１実施形態における動作画面を説明するための図である。
【図１５】第１実施形態における動作画面を説明するための図である。
【図１６】第２実施形態におけるコンテンツファイル追加処理を説明するための動作フローである。
【図１７】第２実施形態における動作画面を説明するための図である。
【図１８】第３実施形態におけるコンテンツファイル追加処理を説明するための動作フローである。
【図１９】第３実施形態におけるコンテンツファイル追加処理を説明するための動作フローである。
【図２０】第３実施形態における動作画面を説明するための図である。
【図２１】第４実施形態におけるコンテンツファイル追加処理を説明するための動作フローである。
【図２２】第４実施形態における動作画面を説明するための図である。
【発明を実施するための形態】
【００１５】
以下に、本発明の実施の形態について、図を参照しながら詳細に説明する。以下の説明では、本発明のコンテンツ配信装置及びコンテンツ表示装置を含むコンテンツ配信システムを例に説明する。なお、本実施形態は、本発明を説明するための一例であり、実施形態の内容に限定されないことは勿論である。
【００１６】
［１．  第１実施形態］
まず、第１実施形態について説明する。第１実施形態は、コンテンツを所定のコンテンツ表示装置に送信・配信する例である。
【００１７】
［１．１  全体構成］
まず、全体構成について図１及び図２を参照して説明する。図１は、コンテンツ表示装置の概略を説明するための図である。コンテンツ表示装置１０は、例えば大型のディスプレイを設けて構成されている。例えば、液晶ディスプレイを表示装置としたディスプレイ装置である。このようなディスプレイは、インフォメーションディスプレイと呼ばれ、例えば店舗や、ションピングモール、公共施設、公共機関といった人の集まる場所に多く設置される。
【００１８】
コンテンツ表示装置１０は、例えば外部ＩＦ（インタフェース）として、ＵＳＢ（Universal Serial Bus）インタフェースを設けている。ＵＳＢインタフェースには、各種周辺装置が接続可能であり、本実施形態では外部記憶装置を接続する。外部記憶装置としては、例えばＵＳＢメモリ、外付けＨＤＤ、ＳＳＤ、メモリカード等が利用可能である。図１では、ＵＳＢメモリ１５が装着可能に示されている。
【００１９】
なお、外部ＩＦとしては、例えばＳＤカードであれば、カードスロットを設ければよい。すなわち、接続される周辺装置に対応するインタフェースが提供されている。本実施形態におけるＩＦは、少なくとも外部記憶装置が接続可能なインタフェースである。
【００２０】
図２は、コンテンツ表示装置１０、コンテンツ配信装置２０を含むコンテンツ配信システム１の全体を示す図である。コンテンツ表示装置１０は、一又は複数の装置が含まれている。例えば、図２では、複数のコンテンツ表示装置１０として、コンテンツ表示装置１０ａ、１０ｂ、１０ｃがネットワークＮＷを介してコンテンツ配信装置２０に接続されている。また、複数のコンテンツ表示装置１０には、複数のＵＳＢメモリ１５がそれぞれ装着されている。例えば、コンテンツ表示装置１０ａにはＵＳＢメモリ１５ａが接続され、コンテンツ表示装置１０ｂにはＵＳＢメモリ１５ｂが接続され、コンテンツ表示装置１０ｃにはＵＳＢメモリ１５ｃが接続されている。
【００２１】
コンテンツ配信装置２０は、コンピュータ・サーバで構成されている。このコンピュータ・サーバ上でコンテンツ配信プログラム（コンテンツ配信アプリケーション）が実行されることによって、実現される。このとき、コンテンツ配信プログラムが実行可能であれば、例えば、タブレット端末や、スマートフォン等で実現されてもよい。
【００２２】
［１．２  機能構成］
続いて、各装置の機能構成について図を参照して説明する。
【００２３】
［１．２．１  コンテンツ表示装置］
コンテンツ表示装置１０の機能構成について図３を参照して説明する。図３に示すように、コンテンツ表示装置１０は、制御部１１０と、表示部１２０と、通信部１３０と、記憶部１４０と、コンテンツ表示制御部１５０と、ＵＳＢ接続部１６０とを備えている。
【００２４】
制御部１１０は、コンテンツ表示装置１０の全体を制御するための機能部である。制御部１１０は、記憶部１４０に記憶されている各種プログラムを読み出して実行することにより各種機能を実現しており、例えばＣＰＵ（Central Processing Unit）等により構成されている。
【００２５】
表示部１２０は、コンテンツを表示する為の機能部である。例えば、液晶ディスプレイや、有機ＥＬディスプレイ等により構成されている。なお、プロジェクタのような投影装置であったり、ＨＤＭＩ（登録商標）を利用して外部の表示装置に表示したりしてもよいことは勿論である。
【００２６】
通信部１３０は、コンテンツ表示装置１０が、コンテンツ配信装置２０と通信を行うための機能部である。例えば、有線／無線ＬＡＮで利用されるＮＩＣ（Network Interface Card）や、３Ｇ／ＬＴＥ回線に接続可能な通信モジュールにより実現されている。また、Ｂｌｕｅｔｏｏｔｈ（登録商標）や、ＺｉｇＢｅｅのような近距離無線通信を利用してもよい。
【００２７】
記憶部１４０は、コンテンツ表示装置１０の動作に必要な各種プログラムや、各種データが記憶されている機能部である。記憶部１４０は、例えば、半導体メモリや、ＨＤＤ（Hard Disk Drive）等により構成されている。
【００２８】
コンテンツ表示制御部１５０は、コンテンツを表示部１２０に表示する制御を行う機能部である。例えば、コンテンツを順次表示する制御を行う（例えば、静止画である画像データをスライドショー表示したり、動画データを連続再生したりする表示制御を行う）機能部である。
【００２９】
具体的には、コンテンツ表示制御部１５０は、メディアプレイヤーというプログラムが実行されることで、コンテンツが順次表示される。これは、ＵＳＢメモリ３００にアクセスし、ＵＳＢメモリ３００の特定フォルダ（「ＡｕｔｏＰｌａｙフォルダ」）に、コンテンツファイルが記憶されているか判定する。
【００３０】
そして、「ＡｕｔｏＰｌａｙフォルダ」にコンテンツファイルが記憶されていると、自動的に読み出し、コンテンツを表示する処理を行う。このとき、ファイル番号順に読み出し、表示することとなる。
【００３１】
なお、当該フォルダは別の名称であってもよいし、特にフォルダを指定しなくてもよい。例えば、ＵＳＢメモリ３００にコンテンツファイルが記憶されている場合は、自動表示するといった処理としてもよい。
【００３２】
ＵＳＢ接続部１６０は、ＵＳＢ機器と接続するための機能部である。例えば、ＵＳＢ２．０／３．０／３．１のインタフェースで構成されている。なお、本実施形態では、ＵＳＢ機器を例にとって説明するが、外部装置として接続可能なインタフェースであればよい。例えば、ＲＳ−２３２Ｃ、ＩＥＥＥ１３９４、Lightning、Thunderbolt、ＳＣＳＩ等のバス規格であってもよい。
【００３３】
ＵＳＢ接続部１６０を介して、外部記憶装置としてＵＳＢメモリ３００が接続されている。ここでいうＵＳＢメモリは、図１に示したＵＳＢメモリ１５が相当する。本実施形態においては、外部記憶装置の一例としてＵＳＢメモリを説明するが、外付けＨＤＤ、ＳＳＤといった各種記憶装置であってもよい。また、カードリーダを介してＳＤカード、ＣＦカード等の記録媒体であってもよい。
【００３４】
ＵＳＢメモリ３００には、コンテンツファイル記憶領域３１０が確保されており、コンテンツファイルが記憶されている。ここで、本実施形態におけるコンテンツファイルは、表示部１２０に表示可能なコンテンツである。例えば、ＪＰＧ、ＧＩＦ、ＰＮＧ等の画像ファイル（静止画データ）や、ＷＭＶ、ＭＰＧ、ＡＶＩ等の動画ファイル（動画像データ）のことをいう。また、ＰＤＦやＨＴＭＬといった文章ファイルや、ドキュメントファイル等が利用出来てもよい。
【００３５】
［１．２．２  コンテンツ配信装置］
続いて、コンテンツ配信装置２０の機能構成について図４を参照して説明する。コンテンツ配信装置２０は、制御部２１０と、表示部２２０と、通信部２３０と、記憶部２４０とを含んで構成されている。
【００３６】
制御部２１０は、コンテンツ配信装置２０の全体を制御するための機能部である。制御部２１０は、記憶部２４０に記憶されている各種プログラムを読み出して実行することにより各種機能を実現しており、例えばＣＰＵ（Central Processing Unit）等により構成されている。
【００３７】
表示部２２０は、コンテンツ配信機能により、各種操作画面コンテンツを表示する為の機能部である。例えば、液晶ディスプレイや、有機ＥＬディスプレイ等により構成されている。なお、プロジェクタのような投影装置であったり、ＨＤＭＩ（登録商標）を利用して外部の表示装置に表示したりしてもよいことは勿論である。
【００３８】
通信部２３０は、コンテンツ配信装置２０が、コンテンツ表示装置１０と通信を行うための機能部である。例えば、有線／無線ＬＡＮで利用されるＮＩＣにより実現されたり、３Ｇ／ＬＴＥ回線に接続可能な通信モジュールにより実現されたりする。また、Ｂｌｕｅｔｏｏｔｈや、ＺｉｇＢｅｅのような近距離無線通信を利用してもよい。
【００３９】
記憶部２４０は、コンテンツ配信装置２０の動作に必要な各種プログラムや、各種データが記憶されている機能部である。記憶部２４０は、例えば、半導体メモリや、ＨＤＤ（Hard Disk Drive）等により構成されている。
【００４０】
また、記憶部２４０には、コンテンツファイル記憶領域２４２が確保されており、コンテンツ配信プログラム２４４を記憶している。
【００４１】
コンテンツファイル記憶領域２４２は、一又は複数のコンテンツファイルがリスト毎に記憶されている領域である。当該記憶されているコンテンツファイルの中から、利用者により選択されたコンテンツファイルがコンテンツ表示装置１０に送信・配信される。
【００４２】
コンテンツ配信プログラム２４４は、制御部２１０に読み出されて実行することにより、コンテンツ配信機能が実現される。コンテンツ配信プログラム２４４は、コンテンツ配信装置２０に限らず、一般のコンピュータや、タブレット端末等といった情報処理装置であれば実行することができる。
【００４３】
［１．２．３  コンテンツファイル］
続いて、コンテンツファイル記憶領域２４２にリスト毎に記憶されているコンテンツファイルについて、図５を参照して説明する。
【００４４】
コンテンツファイル記憶領域２４２には、コンテンツファイルのリストの名称（リスト名）と、そのリストの属性と、そのリストに含まれる一又は複数のコンテンツファイルとが対応付けて記憶されている。リストの属性は、そのリストに含まれる一又は複数のコンテンツファイルが「画像コンテンツ」又は「動画コンテンツ」であることを表している。
【００４５】
例えば、コンテンツファイル記憶領域２４２には、リスト名「ｐｈｏｔｏ１」と、リストの属性「画像コンテンツ」と、複数のコンテンツファイル「０１  ｔｋｙ．ｊｐｇ」、「０２  ｎａｒａ．ｊｐｇ」とが対応付けて記憶されている。また、コンテンツファイル記憶領域２４２には、リスト名「ｍｏｖｉｅ１」と、リストの属性「動画コンテンツ」と、コンテンツファイル「０１  ｙｋｈｍ．ｗｍｖ」とが対応付けて記憶されている。
【００４６】
リスト名「ｐｈｏｔｏ１」の複数のコンテンツファイル「０１  ｔｋｙ．ｊｐｇ」、「０２  ｎａｒａ．ｊｐｇ」、又は、リスト名「ｍｏｖｉｅ１」のコンテンツファイル「０１  ｙｋｈｍ．ｗｍｖ」は、コンテンツ配信装置２０が同一属性のコンテンツ（コンテンツファイル）をコンテンツ表示装置１０に表示するときに、配信される（後述のコンテンツ配信処理を参照）。
【００４７】
また、コンテンツファイル記憶領域２４２には、リスト名「ｎｅｗｌｉｓｔ」が記憶されている。リスト名「ｎｅｗｌｉｓｔ」は、リストの名称が未だ決まっていないことを表している。また、コンテンツファイル記憶領域２４２には、リスト名「ｎｅｗｌｉｓｔ」に対応付けて、そのリストの属性とコンテンツファイルとが記憶されていない。すなわち、リストの属性が未設定であり、コンテンツファイルが未登録であることを表している。
【００４８】
リスト名「ｎｅｗｌｉｓｔ」の属性は、最初のコンテンツファイル（新規のコンテンツファイル）に基づいて設定される。最初のコンテンツファイル（新規のコンテンツファイル）の属性が「画像コンテンツ」である場合は、リスト名「ｎｅｗｌｉｓｔ」の属性も「画像コンテンツ」に設定される。一方、最初のコンテンツファイルの属性が「動画コンテンツ」である場合は、リスト名「ｎｅｗｌｉｓｔ」の属性も「動画コンテンツ」に設定される。なお、リストの名称（「ｐｈｏｔｏ１」、「ｍｏｖｉｅ１」、「ｎｅｗｌｉｓｔ」）については、リスト作成時または作成後のユーザの所望のタイミングで、所望の名称に設定可能である。
【００４９】
ここで、本実施形態において、一又は複数のコンテンツファイルを含むグループを、リストとしているが、これに限定されない。例えば、一又は複数のコンテンツファイルを含むグループであれば、フォルダでもよい。
【００５０】
［１．３  処理の流れ］
続いて、本実施形態における処理の流れについて、図を参照して説明する。
【００５１】
［１．３．１  コンテンツ表示処理］
コンテンツ表示装置１０において、コンテンツを表示する場合に実行されるコンテンツ表示処理について、図６の動作フローを参照して説明する。
【００５２】
まず、電源がスタンバイモード（電源待機状態）になっているときに（ステップＳ１０２）、電源をＯＮにする操作が検出されるまで待機する（ステップＳ１０４−Ｎｏ）。一方、電源がスタンバイモード（電源待機状態）になっているときに（ステップＳ１０２）、電源をＯＮにする操作が検出されると（ステップＳ１０４−Ｙｅｓ）、電源の状態が「ＯＮ」に遷移する（ステップＳ１０６）。
【００５３】
ここで、コンテンツ表示装置１０の電源の状態として、「電源待機状態（スタンバイモード）」、「信号待機状態」、「ＯＮ（電源ＯＮ）状態」の３つの状態がある。まず、「電源待機状態」は、電源がＯＮされる前の状態である。「信号待機状態」は、電源はＯＮであるが、ＨＤＭＩモードや、ＤＶＩモード等の外部信号に基づいて表示する場合に、外部から信号が入力されていなかったり、ＵＳＢモードにおいてＵＳＢメモリ３００（外部記憶装置）が接続されていなかったりする状態である。「ＯＮ状態」は、電源がＯＮになっており、信号が入力されたり、ＵＳＢメモリ３００（外部記憶装置）からコンテンツデータを読み出したりしている状態である。
【００５４】
また、電源状態がＯＮのときに、コンテンツ表示装置１０は複数の表示モードがある。これは、外部入力に応じて切り替え可能であり、例えば、ＨＤＭＩ、ＤＶＩ、Ｄ−ＳＵＢ、コンポジット等の入力に応じてモードを切り替えることができる。また、ＵＳＢメモリ３００（外部記憶装置）からコンテンツデータを読み出す「ＵＳＢモード」が選択可能である。
【００５５】
「ＵＳＢモード」が選択されている場合、ＵＳＢメモリ３００（外部記憶装置）において「ＡｕｔｏＰｌａｙフォルダ」が存在するか否かを確認する。そして、「ＡｕｔｏＰｌａｙフォルダ」が存在する場合には、「ＡｕｔｏＰｌａｙフォルダ」に含まれているコンテンツファイルを連続して表示することとなる。
【００５６】
具体的にフローで説明すると、まずＵＳＢモード以外の場合には、選択されているモードに応じた動作を実行する（ステップＳ１０８−Ｎｏ）。本実施形態では、他の動作モードのときの処理についての説明は省略する。
【００５７】
ここで、ＵＳＢモードが選択されている場合に（ステップＳ１０８−Ｙｅｓ）、ＡｕｔｏＰｌａｙフォルダが存在するか否かを判定する（ステップＳ１１０）。
【００５８】
すなわち、ＵＳＢ接続部１６０に、ＵＳＢメモリ３００が接続されており、更にＵＳＢメモリ３００にＡｕｔｏＰｌａｙフォルダが存在する場合には（ステップＳ１１０−Ｙｅｓ）、コンテンツ表示処理が実行される（ステップＳ１１２）。
【００５９】
コンテンツ表示処理は、「ＡｕｔｏＰｌａｙフォルダ」に記憶されているコンテンツファイルに基づいたコンテンツを、コンテンツ表示装置１０に記憶されているメディアプレイヤーによって順次表示させる処理である。例えば、ファイル番号が連番（０１、０２、…）と記憶されている場合には、ファイル番号順に表示・再生させたりすることが可能となる。
【００６０】
メディアプレイヤーは、記憶されているコンテンツに基づいて、画像コンテンツ・ドキュメントコンテンツを表示したり、動画コンテンツを再生したりする機能を有している。
【００６１】
また、このとき、表示するコンテンツとしては、所定時間毎に切り替えて表示してもよいし、利用者が設定した時間毎に表示しても良い。また、ファイル毎に属性を持たせておき、順次表示させてもよい。
【００６２】
ここで、他モードにも切り替えられず（ステップＳ１１４−Ｎｏ）、電源ＯＦＦの操作が行われない場合（ステップＳ１１６−Ｎｏ）は、ステップＳ１０８以降が実行され、繰り返しコンテンツが表示されることとなる。なお、電源ＯＦＦの操作がなされると、本実施形態では電源待機状態に遷移する。
【００６３】
一方、他モードに切り替えられたられた場合（ステップＳ１１４−Ｙｅｓ）は、当該モードに対応するモードで動作する。また、他モードに切り替えられず（ステップＳ１１４−Ｎｏ）、電源ＯＦＦ操作が行われた場合（ステップＳ１１６−Ｙｅｓ）は、本処理を終了し、電源がＯＦＦとなる。
【００６４】
［１．３．２  コンテンツ配信処理］
コンテンツ配信装置２０が実行するコンテンツ配信処理について、図７を参照して説明する。
【００６５】
まず、コンテンツ配信装置２０は、コンテンツ表示装置１０にログインする（ステップＳ１５２）。一例として、コマンド送信のためにｔｅｌｎｅｔで接続し、コンテンツファイル送信のために、ｆｔｐで接続する。以下、コンテンツ表示装置１０の状態を取得する場合には、ｔｅｌｎｅｔ経由でコマンドを送信し取得するが、他のプロトコルを利用してもよいことは当然である。例えば、ｔｅｌｎｅｔの代わりにＳＳＨを利用したり、ｆｔｐの代わりにｓｆｔｐ／ｓｃｐを利用したりしてもよい。
【００６６】
続いて、コンテンツ表示装置１０の電源状態を取得する（ステップＳ１５４）。これは、現在コンテンツ表示装置１０が、既にＵＳＢメモリ３００にアクセスしているときに、ファイルの記憶・更新といった処理を行わないために確認される処理である。
【００６７】
取得された電源状態が「電源待機状態」ではなく（ステップＳ１５６−Ｎｏ）、現在の入力モードがＵＳＢモードの場合（ステップＳ１５８、ステップＳ１６０−Ｙｅｓ）は、電源を電源待機状態（スタンバイモード）に変更する（ステップＳ１６２）。これにより、書換え中の画面を利用者に対して表示させないという効果と、安全にファイルの書き込みを行うことができるという効果が期待できる。
【００６８】
なお、本実施形態では「電源待機状態」にすることで実現しているが、他の方法も考えられる。例えば、ＵＳＢドライバの接続を解除し、画面を非表示にするといった処理を実行してもよい。
【００６９】
一方、現在の電源状態が「電源待機状態」の場合（ステップＳ１５６−Ｙｅｓ）は、電源をスタンバイ（電源待機状態）にするといった処理は行われない。また、取得された電源状態が「電源待機状態」ではなく（ステップＳ１５６−Ｎｏ）、現在の入力モードがＵＳＢモード以外の場合は（ステップＳ１５８、ステップＳ１６０−Ｎｏ）、電源をスタンバイ（電源待機状態）にするといった処理は行われない。
【００７０】
これは、システムはＵＳＢメモリ３００にアクセスしていないために、電源待機状態にスタンバイにしないためである。また、他のモードで既にコンテンツが表示されている（例えば、ＨＤＭＩモードで、外部入力のコンテンツが表示されている）場合に、そのまま表示するためである。
【００７１】
なお、このような場合であっても、電源待機状態にすることとしてもよい。例えば、ファイルシステムの破損を防ぐといった安全性を優勢し、電源待機状態にすることとしてもよい。
【００７２】
続いて、ＵＳＢメモリ３００に「ＡｕｔｏＰｌａｙフォルダ」がない場合（ステップＳ１６４−Ｎｏ）には、「ＡｕｔｏＰｌａｙフォルダ」を作成する（ステップＳ１６６）。一方、ＵＳＢメモリ３００に「ＡｕｔｏＰｌａｙフォルダ」が既に存在する場合（ステップＳ１６４−Ｙｅｓ）は、「ＡｕｔｏＰｌａｙフォルダ」内のファイルを削除する（ステップＳ１６８）。
【００７３】
なお、本実施形態では、「ＡｕｔｏＰｌａｙフォルダ」内のファイルを一度削除することとして説明しているが、現在のコンテンツファイルはそのまま残し、追記する追加モードを設けてもよい。追加モードが選択された場合は、ステップＳ１６８は実行されない。
【００７４】
また、一律に新しいフォルダを作成する（現在のフォルダは削除する）という処理としてもよい。
【００７５】
続いて、コンテンツファイルが送信される（ステップＳ１７０）。ここで、コンテンツファイルの送信が終わったら、メディアプレイヤーのリセット処理が実行される（ステップＳ１７２）。
【００７６】
ここで、メディアプレイヤーのリセット処理としては、例えばコンテンツ表示装置１０の電源ＯＮ／ＯＦＦによって実行される。具体的には、一度コンテンツ表示装置１０の電源がＯＦＦとなってから再度ＯＮとなる操作（リセット操作）がなされると、メディアプレイヤーがリセットされ、「ＡｕｔｏＰｌａｙフォルダ」に入っているコンテンツデータを改めて表示する処理を実行する。
【００７７】
なお、コンテンツ配信装置２０は、ステップＳ１５２で行われたログイン状態が解除されることから、再度ログイン処理を行っても良い。例えば、所定時間毎にログイン処理を実行し、ログインができた状態になれば、メディアプレイヤーのリセット処理が完了したと判定することができる。
【００７８】
そして、ログアウト処理後（ステップＳ１７４）、入力モードをＵＳＢモードに切り替える制御を行うことにより（ステップＳ１７６）、ステップＳ１７０により送信されたコンテンツデータがメディアプレイヤーによって表示・再生されることとなる。
【００７９】
［１．３．３  コンテンツファイル追加処理］
コンテンツ配信装置２０が実行するコンテンツファイル追加処理について、図８を参照して説明する。
【００８０】
まず、コンテンツ配信装置２０は、記憶部２４０のコンテンツファイル記憶領域２４２に記憶されているコンテンツファイルのリストを選択する（ステップＳ２０２）。このとき、そのリストの属性を取得する（ステップＳ２０４）。
【００８１】
コンテンツ配信装置２０は、そのリストに対してコンテンツファイルを追加しない場合（ステップＳ２０６−Ｎｏ）には、他の処理を実行する。他の処理としては、コンテンツファイルのファイル名の変更などが挙げられる。
【００８２】
一方、コンテンツ配信装置２０は、そのリストに対してコンテンツファイルを新規に追加する場合（ステップＳ２０６−Ｙｅｓ）、新規のコンテンツファイルの属性「画像コンテンツ」又は「動画コンテンツ」を取得する（ステップＳ２０８）。
【００８３】
ここで、リストの属性が「未設定」である（ステップＳ２１０−Ｙｅｓ）。すなわち、ステップＳ２０２において、記憶部２４０のコンテンツファイル記憶領域２４２から、リストとしてリスト名「ｎｅｗｌｉｓｔ」が選択されている場合、コンテンツファイル記憶領域２４２に記憶されているリストの属性は「未設定」である。この場合、コンテンツ配信装置２０は、新規のコンテンツファイルの属性「画像コンテンツ」又は「動画コンテンツ」を、リストの属性として設定（決定）する（ステップＳ２１２）。
【００８４】
コンテンツ配信装置２０は、そのリストに新規のコンテンツファイルを追加する（ステップＳ２１４）。この場合、記憶部２４０のコンテンツファイル記憶領域２４２には、リストとしてリスト名「ｎｅｗｌｉｓｔ」に対応付けて、リストの属性「画像コンテンツ」又は「動画コンテンツ」と、新規のコンテンツファイルとが記憶される。
【００８５】
一方、リストの属性が「未設定」ではない（ステップＳ２１０−Ｎｏ）。すなわち、ステップＳ２０２において、記憶部２４０のコンテンツファイル記憶領域２４２から、リストとしてリスト名「ｐｈｏｔｏ１」又は「ｍｏｖｉｅ１」が選択されている場合、コンテンツファイル記憶領域２４２に記憶されているリストの属性は、「画像コンテンツ」又は「動画コンテンツ」である。この場合、コンテンツ配信装置２０は、リストの属性「画像コンテンツ」又は「動画コンテンツ」が、新規のコンテンツファイルの属性と一致しているか否かを確認する（ステップＳ２１６）。
【００８６】
ここで、リストの属性「画像コンテンツ」又は「動画コンテンツ」が、新規のコンテンツファイルの属性と一致している場合（ステップＳ２１６−Ｙｅｓ）、コンテンツ配信装置２０は、そのリストに新規のコンテンツファイルを追加する（ステップＳ２１４）。この場合、記憶部２４０のコンテンツファイル記憶領域２４２には、リストとしてリスト名「ｐｈｏｔｏ１」又は「ｍｏｖｉｅ１」と、リストの属性「画像コンテンツ」又は「動画コンテンツ」とに対応付けて、新規のコンテンツファイルが記憶される。
【００８７】
一方、リストの属性「画像コンテンツ」又は「動画コンテンツ」が、新規のコンテンツファイルの属性と一致していない場合（ステップＳ２１６−Ｎｏ）、コンテンツ配信装置２０は、新規のコンテンツファイルのリストへの追加を拒否し、その旨を表すメッセージを表示部２２０に表示する（ステップＳ２１８）。
【００８８】
［１．４  動作例］
続いて、具体的な動作例（画面例）を、図を参照して説明する。
【００８９】
［１．４．１  動作例１］
まず、コンテンツ配信装置２０が、コンテンツファイル追加処理を実行したときの動作について、図９〜１２を参照して説明する。
【００９０】
図９は、コンテンツ配信装置２０において、表示部２２０に表示される表示画面Ｗ１００の一例である。表示画面Ｗ１００は、コンテンツファイル追加処理のステップＳ２０２が実行されることにより表示部２２０に表示される。すなわち、リストとしてリスト名「ｎｅｗｌｉｓｔ」が選択されたときに、表示画面Ｗ１００が表示部２２０に表示される。
【００９１】
表示画面Ｗ１００は、操作ボタン領域と、領域Ｒ１００と、領域Ｒ１０２と、領域Ｒ１０４とを含んでいる。
【００９２】
操作ボタン領域には、複数の操作ボタンが表示されている。例えば、操作ボタン領域には、実際にコンテンツ表示装置１０に対してコンテンツファイルを配信するための配信ボタンＢ１００と、コンテンツファイルをリストに追加するための追加ボタンＢ１０２と、リストからコンテンツファイルを削除するための削除ボタンＢ１０４とが表示されている。
【００９３】
領域Ｒ１００には、コンテンツファイルのリストの一覧が表示されている。具体的には、領域Ｒ１００には、リストの属性と、リスト名とが並んで表示されている。リストの属性（例えば、動画コンテンツのリスト、静止画コンテンツのリスト）が識別表示されることにより、利用者は直感的に当該リストがどのようなコンテンツが含まれているリストを識別することができる。例えば、リストの属性「画像コンテンツ」と、リスト名「ｐｈｏｔｏ１」とが並んで表示されている。また、リストの属性「動画コンテンツ」と、リスト名「ｍｏｖｉｅ１」とが並んで表示されている。また、リストの属性「未設定」と、リスト名「ｎｅｗｌｉｓｔ」とが並んで表示されている。リストの属性「未設定」は、リストの属性が決まっていない旨の識別表示である。
【００９４】
領域Ｒ１０２には、領域Ｒ１００に表示されているリストの一覧から選択されたリストのリスト名「ｎｅｗｌｉｓｔ」が表示されている。選択されているリスト（リストの属性「未設定」、リスト名「ｎｅｗｌｉｓｔ」）は、利用者が識別できればよく、例えば、領域Ｒ１００に表示されているリストの一覧の中から、選択されているリストについて識別表示（例えば反転表示）がされていてもよい。
【００９５】
領域Ｒ１０４には、選択されたリストに「画像コンテンツ」又は「動画コンテンツ」を追加することができる旨を表すメッセージが表示されている。
【００９６】
図１０は、コンテンツ配信装置２０において、表示部２２０に表示される表示画面Ｗ１１０の一例である。表示画面Ｗ１１０は、コンテンツファイル追加処理のステップＳ２０２、Ｓ２０４、Ｓ２０６−Ｙｅｓ、Ｓ２０８、Ｓ２１０−Ｙｅｓ、Ｓ２１２、Ｓ２１４が実行されることにより表示部２２０に表示される。すなわち、その属性が「画像コンテンツ」である新規のコンテンツファイル「０１  ｐｃ．ｊｐｇ」がリスト（リスト名「ｎｅｗｌｉｓｔ」）に追加されたときに、表示画面Ｗ１１０が表示部２２０に表示される。
【００９７】
領域Ｒ１０４には、リスト（リスト名「ｎｅｗｌｉｓｔ」）に追加する予定のコンテンツファイル（新規のコンテンツファイル）が表示される。例えば、新規のコンテンツファイルは、追加ボタンＢ１０２が操作されたときに表示される。または、新規のコンテンツファイルは、他の表示画面からドラッグ・アンド・ドロップが行なわれることにより表示される。
【００９８】
領域Ｒ１０４に表示された新規のコンテンツファイルは、タイル状に表示されている。新規のコンテンツファイルとして、例えば、領域Ｒ１０４には、コンテンツＣ１１０と、順序Ｃ１１２と、ファイル名Ｃ１１４とが表示されている。コンテンツＣ１１０は、そのコンテンツファイルの内容（例えば、パーソナルコンピュータの画像）を表している。ファイル名Ｃ１１４は、そのコンテンツＣ１１０のファイル名「ｐｃ．ｊｐｇ」を表している。順序Ｃ１１２は、選択されているリスト（リスト名「ｎｅｗｌｉｓｔ」）における順序「０１」を表している。利用者は、順序Ｃ１１２により、コンテンツＣ１１０が１番目に表示・再生されることを認識することが可能となる。コンテンツファイルの表示としては、例えばタイル状ではない一覧表示であってもよい。
【００９９】
領域Ｒ１０４に新規のコンテンツファイル「０１  ｐｃ．ｊｐｇ」が表示された場合、記憶部２４０のコンテンツファイル記憶領域２４２には、リストとしてリスト名「ｎｅｗｌｉｓｔ」に対応付けて、リストの属性「画像コンテンツ」と、新規のコンテンツファイル「０１  ｐｃ．ｊｐｇ」とが記憶される。この場合、領域Ｒ１００にリスト名「ｎｅｗｌｉｓｔ」と並んで表示されているリストの属性は、リストの属性が決まっていない旨の識別表示「未設定」から、「画像コンテンツ」に変更される。また、領域Ｒ１０２に表示されているリストの属性は、リストの属性が決まっていない旨の識別表示「未設定」から、「画像コンテンツ」に変更される。
【０１００】
図１１は、コンテンツ配信装置２０において、表示部２２０に表示される表示画面Ｗ１２０の一例である。表示画面Ｗ１２０は、コンテンツファイル追加処理のステップＳ２０２、Ｓ２０４、Ｓ２０６−Ｙｅｓ、Ｓ２０８、Ｓ２１０−Ｎｏ、Ｓ２１６−Ｙｅｓ、Ｓ２１４が実行されることにより表示部２２０に表示される。すなわち、その属性が「画像コンテンツ」である新規のコンテンツファイル「０２  ｓｍ．ｊｐｇ」がリスト（リスト名「ｎｅｗｌｉｓｔ」）に追加されたときに、表示画面Ｗ１２０が表示部２２０に表示される。
【０１０１】
領域Ｒ１０４には、リスト（リスト名「ｎｅｗｌｉｓｔ」）に含まれているコンテンツファイル「０１  ｐｃ．ｊｐｇ」と、リストに追加する予定のコンテンツファイル（新規のコンテンツファイル）とが表示される。例えば、新規のコンテンツファイルは、追加ボタンＢ１０２が操作されたときに表示される。または、新規のコンテンツファイルは、他の表示画面からドラッグ・アンド・ドロップが行なわれることにより表示される。
【０１０２】
領域Ｒ１０４に表示された新規のコンテンツファイルは、タイル状に表示されている。新規のコンテンツファイルとして、例えば、領域Ｒ１０４には、コンテンツＣ１２０と、順序Ｃ１２２と、ファイル名Ｃ１２４とが表示されている。コンテンツＣ１２０は、そのコンテンツファイルの内容（例えば、ショッピングカートの画像）を表している。ファイル名Ｃ１２４は、そのコンテンツＣ１２０のファイル名「ｓｍ．ｊｐｇ」を表している。順序Ｃ１２２は、選択されているリスト（リスト名「ｎｅｗｌｉｓｔ」）における順序「０２」を表している。利用者は、順序Ｃ１２２により、コンテンツＣ１２０が２番目に表示・再生されることを認識することが可能となる。
【０１０３】
領域Ｒ１０４に新規のコンテンツファイル「０２  ｓｍ．ｊｐｇ」が表示された場合、記憶部２４０のコンテンツファイル記憶領域２４２には、リストとしてリスト名「ｎｅｗｌｉｓｔ」に対応付けて、リストの属性「画像コンテンツ」と、新規のコンテンツファイル「０２  ｓｍ．ｊｐｇ」とが記憶される。
【０１０４】
図１２は、コンテンツ配信装置２０において、表示部２２０に表示される表示画面Ｗ１３０の一例である。表示画面Ｗ１３０は、コンテンツファイル追加処理のステップＳ２０２、Ｓ２０４、Ｓ２０６−Ｙｅｓ、Ｓ２０８、Ｓ２１０−Ｎｏ、Ｓ２１６−Ｎｏ、Ｓ２１８が実行されることにより表示部２２０に表示される。すなわち、その属性が「動画コンテンツ」である新規のコンテンツファイルをリスト（リスト名「ｎｅｗｌｉｓｔ」）に追加しようとしたときに、新規のコンテンツファイルのリスト（リスト名「ｎｅｗｌｉｓｔ」）への追加を拒否した場合に、表示画面Ｗ１３０が表示部２２０に表示される。
【０１０５】
表示画面Ｗ１３０は、表示画面Ｗ１２０上に表示される。表示画面Ｗ１３０は、領域Ｒ１３０と、領域Ｒ１３２とを含んでいる。
【０１０６】
領域Ｒ１３０には、その属性が「動画コンテンツ」である新規のコンテンツファイルをリスト（リスト名「ｎｅｗｌｉｓｔ」）に追加することがエラーである旨を表すメッセージが表示されている。
【０１０７】
領域Ｒ１３２には、リスト（リスト名「ｎｅｗｌｉｓｔ」）に「画像コンテンツ」と「動画コンテンツ」とが混在させることはできない旨を表すメッセージが表示されている。領域Ｒ１３２には、表示画面Ｗ１３０を閉じるための操作ボタンＢ１３０が表示されている。
【０１０８】
一般的なデジタルサイネージシステムでは、コンテンツ表示装置により表示されるコンテンツが、コンテンツ表示装置の設置場所や時間毎に変更される。そのため、デジタルサイネージシステムでは、リストの属性を予め設定してしまうと、例えば同じ設置場所に、画像コンテンツを表示するためのコンテンツ表示装置を設置と、動画コンテンツを表示するためのコンテンツ表示装置と、を配置しなければならなくなる。そこで、本実施形態に係るデジタルサイネージシステム（コンテンツ配信システム１）では、新規に追加したコンテンツファイル「０１  ｐｃ．ｊｐｇ」の属性「画像コンテンツ」をリスト（リスト名「ｎｅｗｌｉｓｔ」）の属性として決定している。この場合、リスト（リスト名「ｎｅｗｌｉｓｔ」）にコンテンツファイル「０２  ｓｍ．ｊｐｇ」を追加するときに、コンテンツファイル「０２  ｓｍ．ｊｐｇ」の属性がリスト（リスト名「ｎｅｗｌｉｓｔ」）の属性と一致するため、リスト（リスト名「ｎｅｗｌｉｓｔ」）にコンテンツファイル「０２  ｓｍ．ｊｐｇ」が追加される。したがって、リスト（リスト名「ｎｅｗｌｉｓｔ」）の属性を予め設定することなく、コンテンツ表示装置１０に対して同一属性のコンテンツを配信することができる。
【０１０９】
［１．４．２  動作例２］
まず、コンテンツ配信装置２０が、コンテンツ配信処理を実行したときの動作について、図１３を参照して説明する。
【０１１０】
図１３は、コンテンツ配信装置２０において、表示部２２０に表示される表示画面Ｗ１４０の一例である。表示画面Ｗ１４０は、コンテンツ配信処理のステップＳ１７０が実行されることにより表示部２２０に表示される。すなわち、表示画面Ｗ１４０は、配信ボタンＢ１００が操作されたときに表示される。
【０１１１】
表示画面Ｗ１４０は、表示画面Ｗ１２０上に表示される。表示画面Ｗ１４０は、領域Ｒ１４０と、領域Ｒ１４２とを含んでいる。
【０１１２】
領域Ｒ１４０には、コンテンツ表示装置１０に対してコンテンツファイルを配信するリストとして、リスト名「ｎｅｗｌｉｓｔ」が選択されている旨を表すメッセージが表示されている。
【０１１３】
領域Ｒ１４２には、コンテンツ表示装置１０が設置された場所を表している。例えば、コンテンツ表示装置１０が設置された場所として、店舗やションピングモールの１階の入り口を表している。領域Ｒ１４２には、コンテンツ表示装置１０に対してコンテンツファイルを配信するための操作ボタンＢ１４０と、コンテンツ表示装置１０に対してコンテンツファイルを配信しないで表示画面Ｗ１４０を閉じるための操作ボタンＢ１４２とが表示されている。
【０１１４】
ここで、利用者が、コンテンツ表示装置１０が設置された場所を選択し、操作ボタンＢ１４０を操作することにより、リスト名「ｎｅｗｌｉｓｔ」に含まれているコンテンツファイル「０１  ｐｃ．ｊｐｇ」、「０２  ｓｍ．ｊｐｇ」が、選択されたコンテンツ表示装置１０に送信される。この場合、コンテンツ表示装置１０に接続されている外部記憶装置（ＵＳＢメモリ３００）に、コンテンツファイル「０１  ｐｃ．ｊｐｇ」、「０２  ｓｍ．ｊｐｇ」が記憶される。したがって、利用者は、いちいちＵＳＢメモリ３００を抜き差ししてコンテンツファイルをコピーする必要がなくなり、適切にコンテンツファイルを管理することができる。
【０１１５】
［１．４．３  動作例３］
まず、コンテンツ配信装置２０が、コンテンツファイル追加処理を実行したときの他の動作について、図１４、１５を参照して説明する。
【０１１６】
図１４は、コンテンツ配信装置２０において、表示部２２０に表示される表示画面Ｗ１５０の一例である。表示画面Ｗ１５０は、コンテンツファイル追加処理のステップＳ２０２、Ｓ２０４、Ｓ２０６−Ｙｅｓ、Ｓ２０８、Ｓ２１０−Ｙｅｓ、Ｓ２１２、Ｓ２１４が実行されることにより表示部２２０に表示される。すなわち、その属性が「動画コンテンツ」である新規のコンテンツファイル「０１  ｙｋｈｍ．ｗｍｖ」がリスト（リスト名「ｎｅｗｌｉｓｔ」）に追加されたときに、表示画面Ｗ１５０が表示部２２０に表示される。
【０１１７】
領域Ｒ１０４には、リスト（リスト名「ｎｅｗｌｉｓｔ」）に追加する予定のコンテンツファイル（新規のコンテンツファイル）が表示される。例えば、新規のコンテンツファイルは、追加ボタンＢ１０２が操作されたときに表示される。または、新規のコンテンツファイルは、他の表示画面からドラッグ・アンド・ドロップが行なわれることにより表示される。
【０１１８】
領域Ｒ１０４に表示された新規のコンテンツファイルは、タイル状に表示されている。新規のコンテンツファイルとして、例えば、領域Ｒ１０４には、コンテンツＣ１５０と、順序Ｃ１５２と、ファイル名Ｃ１５４とが表示されている。コンテンツＣ１５０は、そのコンテンツファイルの内容（例えば、街並みの動画）を表している。ファイル名Ｃ１５４は、そのコンテンツＣ１５０のファイル名「ｙｋｈｍ．ｗｍｖ」を表している。順序Ｃ１５２は、選択されているリスト（リスト名「ｎｅｗｌｉｓｔ」）における順序「０１」を表している。利用者は、順序Ｃ１５２により、コンテンツＣ１５０が１番目に表示・再生されることを認識することが可能となる。コンテンツファイルの表示としては、例えばタイル状ではない一覧表示であってもよい。
【０１１９】
領域Ｒ１０４に新規のコンテンツファイル「０１  ｙｋｈｍ．ｗｍｖ」が表示された場合、記憶部２４０のコンテンツファイル記憶領域２４２には、リストとしてリスト名「ｎｅｗｌｉｓｔ」に対応付けて、リストの属性「動画コンテンツ」と、新規のコンテンツファイル「０１  ｙｋｈｍ．ｗｍｖ」とが記憶される。この場合、領域Ｒ１００にリスト名「ｎｅｗｌｉｓｔ」と並んで表示されているリストの属性は、リストの属性が決まっていない旨の識別表示「未設定」から、「動画コンテンツ」に変更される。また、領域Ｒ１０２に表示されているリストの属性は、リストの属性が決まっていない旨の識別表示「未設定」から、「動画コンテンツ」に変更される。
【０１２０】
図１５は、コンテンツ配信装置２０において、表示部２２０に表示される表示画面Ｗ１６０の一例である。表示画面Ｗ１６０は、コンテンツファイル追加処理のステップＳ２０２、Ｓ２０４、Ｓ２０６−Ｙｅｓ、Ｓ２０８、Ｓ２１０−Ｎｏ、Ｓ２１６−Ｎｏ、Ｓ２１８が実行されることにより表示部２２０に表示される。すなわち、その属性が「画像コンテンツ」である新規のコンテンツファイルをリスト（リスト名「ｎｅｗｌｉｓｔ」）に追加しようとしたときに、新規のコンテンツファイルのリスト（リスト名「ｎｅｗｌｉｓｔ」）への追加を拒否した場合に、表示画面Ｗ１６０が表示部２２０に表示される。
【０１２１】
表示画面Ｗ１６０は、表示画面Ｗ１５０上に表示される。表示画面Ｗ１６０は、領域Ｒ１６０と、領域Ｒ１６２とを含んでいる。
【０１２２】
領域Ｒ１６０には、その属性が「画像コンテンツ」である新規のコンテンツファイルをリスト（リスト名「ｎｅｗｌｉｓｔ」）に追加することがエラーである旨を表すメッセージが表示されている。
【０１２３】
領域Ｒ１６２には、リスト（リスト名「ｎｅｗｌｉｓｔ」）に「画像コンテンツ」と「動画コンテンツ」とが混在させることはできない旨を表すメッセージが表示されている。領域Ｒ１６２には、表示画面Ｗ１６０を閉じるための操作ボタンＢ１６０が表示されている。
【０１２４】
本実施形態に係るデジタルサイネージシステム（コンテンツ配信システム１）では、新規に追加したコンテンツファイル「０１  ｙｋｈｍ．ｗｍｖ」の属性「動画コンテンツ」をリスト（リスト名「ｎｅｗｌｉｓｔ」）の属性として決定している。この場合、リスト（リスト名「ｎｅｗｌｉｓｔ」）に次のコンテンツファイルを追加するときに、そのコンテンツファイルの属性がリスト（リスト名「ｎｅｗｌｉｓｔ」）の属性と一致しないため、リスト（リスト名「ｎｅｗｌｉｓｔ」）に次のコンテンツファイルが追加されない。したがって、リスト（リスト名「ｎｅｗｌｉｓｔ」）の属性を予め設定することなく、コンテンツ表示装置１０に対して同一属性のコンテンツを配信することができる。
【０１２５】
［２．  第２実施形態］
続いて、第２実施形態について説明する。第２実施形態は、第１実施形態の機能及び構成は同一であるが、コンテンツ配信装置２０の処理を、図８から図１６に置き換えたものである。本実施形態では、当該処理を中心に説明する。なお、第１実施形態の図８と同一の処理については、同一の符号を付すことにより、その詳細な説明を省略する。
【０１２６】
［２．１  コンテンツファイル追加処理］
コンテンツ配信装置２０が実行するコンテンツファイル追加処理について、図１６を参照して説明する。
【０１２７】
まず、ステップＳ２０２、Ｓ２０４、Ｓ２０６−Ｙｅｓ、Ｓ２０８、Ｓ２１０−Ｎｏ、Ｓ２１６が実行される。ここで、リストの属性「画像コンテンツ」又は「動画コンテンツ」が、新規のコンテンツファイルの属性と一致していない場合（ステップＳ２１６−Ｎｏ）、コンテンツ配信装置２０は、新規のリストを作成し（ステップＳ２５２）、そのリストに新規のコンテンツファイルを追加する（ステップＳ２５４）。
【０１２８】
［２．２  動作例］
コンテンツ配信装置２０が、コンテンツファイル追加処理を実行したときの動作について、図１７を参照して説明する。
【０１２９】
図１７は、コンテンツ配信装置２０において、表示部２２０に表示される表示画面Ｗ２００の一例である。表示画面Ｗ２００は、コンテンツファイル追加処理のステップＳ２０２、Ｓ２０４、Ｓ２０６−Ｙｅｓ、Ｓ２０８、Ｓ２１０−Ｎｏ、Ｓ２１６−Ｎｏ、Ｓ２５２、Ｓ２５４が実行されることにより表示部２２０に表示される。すなわち、その属性が「画像コンテンツ」である新規のコンテンツファイルをリスト（リスト名「ｎｅｗｌｉｓｔ」）に追加しようとしたときに、新規のリストが作成されて、そのリストに新規のコンテンツファイルが追加された場合に、表示画面Ｗ２００が表示部２２０に表示される。
【０１３０】
表示画面Ｗ２００は、操作ボタン領域（配信ボタンＢ１００、追加ボタンＢ１０２、削除ボタンＢ１０４）と、領域Ｒ２００と、領域Ｒ２０２と、領域Ｒ２０４とを含んでいる。
【０１３１】
領域Ｒ２００には、コンテンツファイルのリストの一覧が表示されている。例えば、リストの属性「画像コンテンツ」と、リスト名「ｐｈｏｔｏ１」とが並んで表示されている。また、リストの属性「動画コンテンツ」と、リスト名「ｍｏｖｉｅ１」とが並んで表示されている。また、リストの属性「動画コンテンツ」と、リスト名「ｎｅｗｌｉｓｔ」とが並んで表示されている。リスト名「ｎｅｗｌｉｓｔ２」は、ステップＳ２５２が実行されたときに作成される。この場合、記憶部２４０のコンテンツファイル記憶領域２４２には、リストとしてリスト名「ｎｅｗｌｉｓｔ２」とリストの属性「未設定」とが対応付けて記憶され、領域Ｒ２００には、リストの属性「未設定」と、リスト名「ｎｅｗｌｉｓｔ２」とが並んで表示されている。
【０１３２】
領域Ｒ２０２には、領域Ｒ２００に表示されているリストの一覧に新規に作成されたリストのリスト名「ｎｅｗｌｉｓｔ２」が表示されている。リスト名「ｎｅｗｌｉｓｔ２」は、ステップＳ２５２が実行されたときに、領域Ｒ２０２に表示される。
【０１３３】
領域Ｒ２０４には、コンテンツＣ２１０と、順序Ｃ２１２と、ファイル名Ｃ２１４とが表示されている。また、領域Ｒ２０４には、属性が異なるコンテンツが追加されたので新規のリストを作成した旨を表すメッセージが表示されている。新規のリストを作成した旨を表すメッセージが領域Ｒ２０４に表示された場合、記憶部２４０のコンテンツファイル記憶領域２４２には、リストとしてリスト名「ｎｅｗｌｉｓｔ２」に対応付けて、リストの属性「画像コンテンツ」と、新規のコンテンツファイル「０１  ｙａｓａｉ．ｊｐｇ」とが記憶される。この場合、領域Ｒ２００にリスト名「ｎｅｗｌｉｓｔ２」と並んで表示されているリストの属性は、リストの属性が決まっていない旨の識別表示「未設定」から、「画像コンテンツ」に変更される。また、領域Ｒ２０２に表示されているリストの属性は、リストの属性が決まっていない旨の識別表示「未設定」から、「画像コンテンツ」に変更される。
【０１３４】
本実施形態に係るデジタルサイネージシステム（コンテンツ配信システム１）では、リスト（リスト名「ｎｅｗｌｉｓｔ」）にコンテンツファイル「ｙａｓａｉ．ｊｐｇ」を追加するときに、コンテンツファイル「ｙａｓａｉ．ｊｐｇ」の属性がリスト（リスト名「ｎｅｗｌｉｓｔ」）の属性と一致しない場合、新規のリスト（リスト名「ｎｅｗｌｉｓｔ２」）を生成し、そのリスト（リスト名「ｎｅｗｌｉｓｔ２」）にコンテンツファイル「０１  ｙａｓａｉ．ｊｐｇ」を追加する。したがって、リスト（リスト名「ｎｅｗｌｉｓｔ２」）の属性を予め設定することなく、コンテンツ表示装置１０に対して同一属性のコンテンツを配信することができる。
【０１３５】
［３．  第３実施形態］
続いて、第３実施形態について説明する。第３実施形態は、第２実施形態の機能及び構成は同一であるが、コンテンツ配信装置２０の処理を、図１６から図１８、１９に置き換えたものである。本実施形態では、当該処理を中心に説明する。なお、第２実施形態の図１６と同一の処理については、同一の符号を付すことにより、その詳細な説明を省略する。
【０１３６】
コンテンツ配信装置２０が実行するコンテンツファイル追加処理について、図１８〜２０を参照して説明する。
【０１３７】
まず、ステップＳ２０２、Ｓ２０４、Ｓ２０６−Ｙｅｓ、Ｓ２０８、Ｓ２１０−Ｎｏ、Ｓ２１６が実行される。ここで、リスト（リスト名「ｎｅｗｌｉｓｔ」）の属性「画像コンテンツ」又は「動画コンテンツ」が、新規のコンテンツファイルの属性と一致していない場合（ステップＳ２１６−Ｎｏ）、コンテンツ配信装置２０は、新規のコンテンツファイルの属性「画像コンテンツ」又は「動画コンテンツ」を変換するか否かを利用者に問い合わせる（ステップＳ３０２）。
【０１３８】
図２０は、コンテンツ配信装置２０において、表示部２２０に表示される表示画面Ｗ３００の一例である。
【０１３９】
表示画面Ｗ３００は、表示画面Ｗ１５０上に表示される。表示画面Ｗ３００は、領域Ｒ３００を含んでいる。
【０１４０】
領域Ｒ３００には、リスト（リスト名「ｎｅｗｌｉｓｔ」）に「画像コンテンツ」と「動画コンテンツ」とが混在させることはできないので新規のコンテンツファイルの属性を変換するか否かを利用者に問い合わせる旨を表すメッセージが表示されている。領域Ｒ３００には、新規のコンテンツファイルの属性を変換するための操作ボタンＢ３００と、新規のコンテンツファイルの属性を変換しないで表示画面Ｗ３００を閉じるための操作ボタンＢ３０２とが表示されている。
【０１４１】
ここで、操作ボタンＢ３０２が操作された場合、すなわち、新規のコンテンツファイルの属性を変換しない指示が行なわれた場合（ステップＳ３０２−Ｎｏ）、コンテンツ配信装置２０は、新規のコンテンツファイルのリスト（リスト名「ｎｅｗｌｉｓｔ」）への追加を拒否し、その旨を表すメッセージを表示部２２０に表示する（ステップＳ３０４）。
【０１４２】
一方、操作ボタンＢ３００が操作された場合、すなわち、新規のコンテンツファイルの属性を変換する指示が行なわれた場合（ステップＳ３０２−Ｙｅｓ）、コンテンツ配信装置２０は、新規のコンテンツファイルの属性を確認する（ステップＳ３０６）。
【０１４３】
ここで、新規のコンテンツファイルの属性が「動画コンテンツ」である場合（ステップＳ３０６−Ｎｏ）、コンテンツ配信装置２０は、新規のコンテンツファイルに対して「動画コンテンツ」から「画像コンテンツ」を生成し、その「画像コンテンツ」をリスト（リスト名「ｎｅｗｌｉｓｔ」）に含める（ステップＳ３０８）。コンテンツ配信装置２０は、そのリストに新規のコンテンツファイルを追加する（ステップＳ３１２）。
【０１４４】
一方、新規のコンテンツファイルの属性が「画像コンテンツ」である場合（ステップＳ３０６−Ｙｅｓ）、コンテンツ配信装置２０は、新規のコンテンツファイルをリスト（リスト名「ｎｅｗｌｉｓｔ」）に含めて、スライドショーになるように「画像コンテンツ」から「動画コンテンツ」を生成する（ステップＳ３１０）。コンテンツ配信装置２０は、そのリストに新規のコンテンツファイルを追加する（ステップＳ３１２）。
【０１４５】
本実施形態に係るデジタルサイネージシステム（コンテンツ配信システム１）では、リスト（リスト名「ｎｅｗｌｉｓｔ」）にコンテンツファイルを追加するときに、そのコンテンツファイルの属性がリスト（リスト名「ｎｅｗｌｉｓｔ」）の属性と一致しない場合、新規のコンテンツファイルの属性を、リスト（リスト名「ｎｅｗｌｉｓｔ」）の属性に変換し、リスト（リスト名「ｎｅｗｌｉｓｔ」）に、そのコンテンツファイルを追加する。したがって、リスト（リスト名「ｎｅｗｌｉｓｔ」）の属性を予め設定することなく、コンテンツ表示装置１０に対して同一属性のコンテンツを配信することができる。
【０１４６】
［４．  第４実施形態］
続いて、第４実施形態について説明する。第４実施形態は、第３実施形態の機能及び構成は同一であるが、コンテンツ配信装置２０の処理を、図１９から図２１に置き換えたものである。具体的には、第３実施形態では、新規のコンテンツファイルの属性を、リスト（リスト名「ｎｅｗｌｉｓｔ」）の属性に変換しているが、第４実施形態では、リスト（リスト名「ｎｅｗｌｉｓｔ」）の属性を、新規のコンテンツファイルの属性に変換する。本実施形態では、当該処理を中心に説明する。
【０１４７】
コンテンツ配信装置２０が実行するコンテンツファイル追加処理について、図１８、２１、２２を参照して説明する。
【０１４８】
まず、ステップＳ２０２、Ｓ２０４、Ｓ２０６−Ｙｅｓ、Ｓ２０８、Ｓ２１０−Ｎｏ、Ｓ２１６が実行される。ここで、リスト（リスト名「ｎｅｗｌｉｓｔ」）の属性「画像コンテンツ」又は「動画コンテンツ」が、新規のコンテンツファイルの属性と一致していない場合（ステップＳ２１６−Ｎｏ）、コンテンツ配信装置２０は、リスト（リスト名「ｎｅｗｌｉｓｔ」）の属性「画像コンテンツ」又は「動画コンテンツ」を変換するか否かを利用者に問い合わせる（ステップＳ４０２）。
【０１４９】
図２２は、コンテンツ配信装置２０において、表示部２２０に表示される表示画面Ｗ４００の一例である。
【０１５０】
表示画面Ｗ４００は、表示画面Ｗ１５０上に表示される。表示画面Ｗ４００は、領域Ｒ４００を含んでいる。
【０１５１】
領域Ｒ４００には、リスト（リスト名「ｎｅｗｌｉｓｔ」）に「画像コンテンツ」と「動画コンテンツ」とが混在させることはできないのでリスト（リスト名「ｎｅｗｌｉｓｔ」）の属性を変換するか否かを利用者に問い合わせる旨を表すメッセージが表示されている。領域Ｒ４００には、リスト（リスト名「ｎｅｗｌｉｓｔ」）の属性を変換するための操作ボタンＢ４００と、リスト（リスト名「ｎｅｗｌｉｓｔ」）の属性を変換しないで表示画面Ｗ４００を閉じるための操作ボタンＢ４０２とが表示されている。
【０１５２】
ここで、操作ボタンＢ４０２が操作された場合、すなわち、リスト（リスト名「ｎｅｗｌｉｓｔ」）の属性を変換しない指示が行なわれた場合（ステップＳ４０２−Ｎｏ）、コンテンツ配信装置２０は、新規のコンテンツファイルのリスト（リスト名「ｎｅｗｌｉｓｔ」）への追加を拒否し、その旨を表すメッセージを表示部２２０に表示する（ステップＳ４０４）。
【０１５３】
一方、操作ボタンＢ４００が操作された場合、すなわち、リスト（リスト名「ｎｅｗｌｉｓｔ」）の属性を変換する指示が行なわれた場合（ステップＳ４０２−Ｙｅｓ）、コンテンツ配信装置２０は、リスト（リスト名「ｎｅｗｌｉｓｔ」）の属性を確認する（ステップＳ４０６）。
【０１５４】
ここで、リスト（リスト名「ｎｅｗｌｉｓｔ」）の属性が「動画コンテンツ」である場合（ステップＳ４０６−Ｎｏ）、コンテンツ配信装置２０は、リスト（リスト名「ｎｅｗｌｉｓｔ」）に含まれるコンテンツファイルに対して、「動画コンテンツ」から「画像コンテンツ」を生成する（ステップＳ４０８）。コンテンツ配信装置２０は、そのリストに新規のコンテンツファイルを追加する（ステップＳ４１２）。
【０１５５】
一方、リスト（リスト名「ｎｅｗｌｉｓｔ」）の属性が「画像コンテンツ」である場合（ステップＳ４０６−Ｙｅｓ）、コンテンツ配信装置２０は、リスト（リスト名「ｎｅｗｌｉｓｔ」）に含まれるコンテンツファイルに対して、スライドショーになるように「画像コンテンツ」から「動画コンテンツ」を生成する（ステップＳ４１０）。コンテンツ配信装置２０は、そのリストに新規のコンテンツファイルを追加する（ステップＳ４１２）。
【０１５６】
本実施形態に係るデジタルサイネージシステム（コンテンツ配信システム１）では、リスト（リスト名「ｎｅｗｌｉｓｔ」）にコンテンツファイルを追加するときに、そのコンテンツファイルの属性がリスト（リスト名「ｎｅｗｌｉｓｔ」）の属性と一致しない場合、リスト（リスト名「ｎｅｗｌｉｓｔ」）の属性を、そのコンテンツファイルの属性に変換し、リスト（リスト名「ｎｅｗｌｉｓｔ」）に、そのコンテンツファイルを追加する。したがって、リスト（リスト名「ｎｅｗｌｉｓｔ」）の属性を予め設定することなく、コンテンツ表示装置１０に対して同一属性のコンテンツを配信することができる。
【０１５７】
［５．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１５８】
また、上述した実施形態は、説明した以外にも、矛盾のない範囲において適宜組み合わせて実行しても良いことは勿論である。
【０１５９】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０１６０】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１６１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１６２】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【０１６３】
１  …  コンテンツ配信システム
１０、１０ａ、１０ｂ、１０ｃ  …  コンテンツ表示装置
１５、１５ａ、１５ｂ、１５ｃ  …  ＵＳＢメモリ
２０  …  コンテンツ配信装置
１１０  …  制御部
１２０  …  表示部
１３０  …  通信部
１４０  …  記憶部
１５０  …  コンテンツ表示制御部
１６０  …  ＵＳＢ接続部
２１０  …  制御部
２２０  …  表示部
２３０  …  通信部
２４０  …  記憶部
２４２  …  コンテンツファイル記憶領域
２４４  …  コンテンツ配信プログラム
３００  …  ＵＳＢメモリ
３１０  …  コンテンツファイル記憶領域
Ｂ１００、Ｂ１０２、Ｂ１０４、Ｂ１３０、Ｂ１４０、Ｂ１４２  …  操作ボタン
Ｂ１６０、Ｂ３００、Ｂ３０２、Ｂ４００、Ｂ４０２  …  操作ボタン
Ｃ１１０、Ｃ１２０、Ｃ１５０、Ｃ２１０  …  コンテンツ
Ｃ１１２、Ｃ１２２、Ｃ１５２、Ｃ２１２  …  順序
Ｃ１１４、Ｃ１２４、Ｃ１５４、Ｃ２１４  …  ファイル名
Ｒ１００、Ｒ１０２、Ｒ１０４、Ｒ１３０、Ｒ１３２、Ｒ１４０、Ｒ１４２  …  領域
Ｒ１６０、Ｒ１６２、Ｒ２００、Ｒ２０２、Ｒ２０４、Ｒ３００、Ｒ４００  …  領域
Ｗ１００、Ｗ１１０、Ｗ１２０、Ｗ１３０、Ｗ１４０  …  表示画面
Ｗ１５０、Ｗ１６０、Ｗ２００、Ｗ３００、Ｗ４００  …  表示画面
【図１】
0006703890.tif 000002
【図２】
0006703890.tif 000003
【図３】
0006703890.tif 000004
【図４】
0006703890.tif 000005
【図５】
0006703890.tif 000006
【図６】
0006703890.tif 000007
【図７】
0006703890.tif 000008
【図８】
0006703890.tif 000009
【図９】
0006703890.tif 000010
【図１０】
0006703890.tif 000011
【図１１】
0006703890.tif 000012
【図１２】
0006703890.tif 000013
【図１３】
0006703890.tif 000014
【図１４】
0006703890.tif 000015
【図１５】
0006703890.tif 000016
【図１６】
0006703890.tif 000017
【図１７】
0006703890.tif 000018
【図１８】
0006703890.tif 000019
【図１９】
0006703890.tif 000020
【図２０】
0006703890.tif 000021
【図２１】
0006703890.tif 000022
【図２２】
0006703890.tif 000023